(57)【要約】【課題】ハサミの刃部をカバーすることができて、必要に応じて封書の開封や新聞の切り抜きが行えるハサミ用カバーを提供すること。【解決手段】閉じた刃部２１を収納する収納部１１ａを形成した本体部１１と、この本体部１１に形成されて、カッター刃１２を保持する保持部材１３とを備えたこと。【選択図】図１
2012179235.tif 000002
【特許請求の範囲】
【請求項１】
閉じたハサミの刃部を覆うハサミ用カバーであって、
前記閉じた刃部を収納する収納部を形成した本体部と、この本体部に設けられて、カッター刃を保持する保持部材とを備えたことを特徴とするハサミ用カバー。
【請求項２】
前記カッター刃を前記本体部に対して交換可能にしたことを特徴とする請求項１に記載のハサミ用カバー。
【発明の詳細な説明】
【技術分野】
【０００１】
本発明は、ハサミの刃部を覆うハサミ用カバーに関し、特に、封書の開封具や新聞・雑誌等の切抜き具としての機能をも備えたハサミ用カバーに関するものである。
【背景技術】
【０００２】
ハサミ、特に高齢者や学童が使用するハサミにあっては、その刃部が露出したままであると危険であるため、特許文献１において、ハサミの閉じた刃部全体を収納して、刃部を覆うようにした「ハサミの安全カバー」が提案されている。
【０００３】
この特許文献１の「ハサミの安全カバー」は、図７に示すような構成によって、「ハサミにおいて安全に便利に使用でき、ハサミによる怪我、不安を回避できる、安全カバ−を付けたまま操作できる」（特許文献１の要約）と考えられる。しかしながら、この特許文献１の「ハサミの安全カバー」では、封書の開封や新聞の切り抜きはできないものと考えられる。
【０００４】
一方、非特許文献１には、「カッター付ハサミ」の項があって、ハサミのカバーにカッターナイフを一体化した商品が提案されている。この「カッター付ハサミ」は、これはこれで利用価値は高いと思われるが、如何せん、所謂カッターをそのままハサミのカバーに一体化したものであるため、大きなものとなって使い辛いのではないかと考えられる。何より、「カッター」で封書の開封や新聞の切り抜きを行おうとする場合、ハサミ自体が邪魔になって作業がし辛いのではないかと考えられる。
【先行技術文献】
【特許文献】
【０００５】
【特許文献１】特開２０１０−２５９７５７号公報、要約、代表図
【非特許文献】
【０００６】
【非特許文献１】「サンスター文具株式会社」のホームページ、「カッター付ハサミ」の項
【発明の概要】
【発明が解決しようとする課題】
【０００７】
そこで、本発明者等は、ハサミ用カバーに、小さなものであっても、封書の開封や新聞の切り抜きが行える機能を付与できないものかと考えたのである。
【０００８】
封書の開封や新聞の切り抜きが行えるものとしては、例えば一般的なレターオープナーのように、カッター刃（上記非特許文献１のカッター付ハサミに採用されているカッターのように、小片として折り取ることができるようにした刃）を固定的に保持した単独製品があるが、このカッター刃の交換ができない状態になっている。しかも、この種のレターオープナーは、その刃の交換を想定していない小さなものであるため、無くし易いものでもある。
【０００９】
ここにおいて、本発明者等は、ハサミ用カバーに、小さなものであっても、封書の開封や新聞の切り抜きが行える機能を付与するにはどうしたらよいか、について種々検討を重ねてきた結果、本発明を完成したのである。
【００１０】
すなわち、本発明の目的とするところは、ハサミの刃部をカバーすることができて、必要に応じて封書の開封や新聞の切り抜きが行えるハサミ用カバーを提供することにある。また、本発明の他に目的とするところは、上記の目的を達成できると同時に、カッター刃の交換も自在に行うことができるハサミ用カバーを提供することにある。
【課題を解決するための手段】
【００１１】
以上の課題を解決するために、本発明の採った手段は、後述する実施形態の説明中で使用する符号を付して説明すると、
「閉じたハサミ２０の刃部２１を覆うハサミ用カバー１０であって、
閉じた刃部２１を収納する収納部１１ａを形成した本体部１１と、この本体部１１に設けられて、カッター刃１２を保持する保持部材１３とを備えたことを特徴とするハサミ用カバー１０」
である。
【００１２】
すなわち、このハサミ用カバー１０は、収納部１１ａを形成した本体部１１を有するのであるから、この収納部１１ａ内に閉じたハサミ２０の刃部２１を収納するようにすれば、図１、図２、図４の（ｂ）、及び図５に示すように、文字通り、ハサミ２０の刃部２１をカバーして、使用しないときのハサミ２０の安全性を確保できるものとなっている。
【００１３】
また、このハサミ用カバー１０は、本体部１１に一体化された保持部材１３にて保持されたカッター刃１２を有するのであるから、図３、図４の（ｂ）あるいは図６に示すように、このカッター刃１２を露出させて使用状態にすれば、このカッター刃１２による新聞や雑誌の切り抜き（図３あるいは図６に示した場合）が行えるのであり、あるいは、封書の開封（図４の（ｂ）に示した場合）が行えるのである。
【００１４】
従って、この請求項１に係るハサミ用カバー１０は、ハサミ２０の刃部２１をカバーすることができて、必要に応じて封書の開封、あるいは新聞や雑誌の切り抜きが行えるものとなっている。
【００１５】
また、上記課題を解決するために、請求項２に係る発明の採った手段は、上記請求項１に記載のハサミ用カバー１０について、
「カッター刃１２を本体部１１に対して交換可能にしたこと」
である。
【００１６】
この請求項２のハサミ用カバー１０では、カッター刃１２を本体部１１に対して交換可能にしたものであるから、このカッター刃１２の切れ味が悪くなった時点でその交換が行えるものとなっているのである。この交換可能の仕方には、後述する実施例１あるいは実施例３において異なっている。
【００１７】
図１〜図３に示した実施例１でのカッター刃１２の交換は、具体的には次のようにして行う。まず、図１に示すように、カッター刃１２が一体化してある保持部１３を本体部１１の収納部１１ａから抜き取って、これとは別の保持部１３を用意する。勿論、この用意された保持部１３は、鈍っていないカッター刃１２を一体化したものである。
【００１８】
この新しいカッター刃１２を有する保持部１３については、当該ハサミ用カバー１０またはこれが使用されるハサミ２０の交換部品として添付しておかれるものであるが、図３に示すように、境界部１３ｂに対してカッター刃１２とは反対側の差し込み部１３ａを、本体部１１の先端に開口している収納部１１ａ内に差し込むのである。この保持部１３の差込量は、これに形成してある境界部１３ｂによって自動的に決り、図３の下側に示すハサミ用カバー１０におけるように、カッター刃１２が真っ直ぐ突出した状態で、当該保持部１３の本体部１１に対する一体化が完了するのである。
【００１９】
一方、図５及び図６に示した実施例３でのカッター刃１２の交換は、具体的には次のようにして行われる。まず、図６の（ａ）に示すように、ハサミ用カバー１０の保持部材１３からカバー１５を外してから、保持部材１３に嵌合してあった保持部材１４ａをカッター刃１２及び止め材１４ｂ毎抜き取る。ついで、保持部材１４ａから止め材１４ｂを外すことによってカッター刃１２を取り出して、このカッター刃１２を新しいものに交換後、再び止め材１４ｂを保持部材１４ａに嵌めてから、この保持部材１４ａを保持部材１３の取り付け直すのである。
【００２０】
従って、この請求項２に係るハサミ用カバー１０は、ハサミ２０の刃部２１をカバーすることができて、必要に応じて封書の開封、あるいは新聞や雑誌の切り抜きが行えることは当然として、カッター刃１２の交換も自在に行うことができるものとなっている。
【発明の効果】
【００２１】
以上、説明した通り、請求項１に係るハサミ用カバー１０は、
「閉じたハサミ２０の刃部２１を覆うハサミ用カバー１０であって、
閉じた刃部２１を収納する収納部１１ａを形成した本体部１１と、この本体部１１に設けられて、カッター刃１２を保持する保持部材１３とを備えたこと」
にその構成上の特徴があり、これにより、ハサミ２０の刃部２１をカバーすることができて、必要に応じて封書の開封や新聞の切り抜きが行えるのである。
【００２２】
また、請求項２に係るハサミ用カバー１０は、請求項１に記載のハサミ用カバー１０について、
「カッター刃１２を本体部１１に対して交換可能にしたこと」
にその構成上の特徴があり、これにより、ハサミ２０の刃部２１をカバーすることができて、必要に応じて封書の開封や新聞の切り抜きが行えることは勿論、カッター刃の交換も自在に行うことができるのである。
【図面の簡単な説明】
【００２３】
【図１】本発明の第１実施例に係るハサミ用カバー１０を示す分解平面図である。
【図２】同第１実施例のハサミ用カバー１０をハサミ２０に嵌めた状態を示すもので、（ａ）は平面図、（ｂ）は上面図、（ｃ）はハサミ用カバー１０側から見た正面図である。
【図３】同ハサミ用カバー１０の、保持部１３をカッター刃１２とは反対側の差し込み部１３ａにて本体部１１の収納部１１ａに差し込む様子を含めて示す平面図である。
【図４】本発明の第２実施例に係るハサミ用カバー１０を示すもので、（ａ）はハサミ２０の刃部２１から外したときの平面図、（ｂ）はハサミ２０の刃部２１をカバーしたときの平面図である。
【図５】本発明の第３実施例に係るハサミ用カバー１０を示す平面図である。
【図６】同ハサミ用カバー１０を示すもので、（ａ）は分解平面図、（ｂ）はカバー１５によってカッター刃１２をカバーしたときの平面図である。
【図７】特許文献１に示されたハサミ用カバー１０の平面図である。
【発明を実施するための形態】
【００２４】
次に、以上のように構成した各請求項に係る発明を、図面に示した実施の形態であるハサミ用カバー１０について説明するが、この実施形態のハサミ用カバー１０は、図１〜図３に示した実施例１に係るものと、図４に示した実施例２に係るもの、及び図５及び図６に示した実施例３に係るものとの３種類があるので、以下では、共通事項を説明してから、各実施例毎に説明して行くこととする。
【００２５】
（共通事項）
このハサミ用カバー１０は、図１〜図６に示したように、閉じた刃部２１を収納する収納部１１ａを形成した本体部１１と、この本体部１１に設けられて、カッター刃１２を保持する保持部材１３とを備えている。この保持部１３は、以下の実施例１のように、本体部１１に対して分離可能な場合と、実施例２及び３におけるように、本体部１１に一体的に成形する場合とがある。
【００２６】
当該ハサミ用カバー１０の使用対象であるハサミ２０は、図１の下側部分にて示したように、枢軸２２を中心にして互いに開閉される刃部２１を有した一般的なものであり、各刃部２１の互いに対向する部分に所謂「刃」が形成してあり、先端部は尖った状態のものである。従って、閉じた状態の各刃部２１の先端部は、何らかの手段によって、できるだけ露出しないように保護されるべきものとなっている。
【００２７】
以下の各実施例においては、本体部１１、保持部１３、止め部材１４は合成樹脂を材料として形成したものであり、実施例３におけるカバー１５も合成樹脂を材料として形成したものである。特に、実施例１においては、カッター刃１２を有する保持部１３について、本体部１１とは異なる着色が施してあり、当該保持部１３が、本体部１１とは別に成形されていて、当該本体部１１から分離できるものであることを示すようにしている。
【００２８】
当該ハサミ用カバー１０は、ハサミ２０の閉じた刃部２１を安全状態にするためのものであるから、本体部１１に形成してある収納部１１ａは、例えば図１や図６中の点線にて示したように形成したものである。なお、各ハサミ用カバー１０では、例えば図６中の点線にて示したように、本体部１１の収納部１１ａ内部に、ハサミ２０の枢軸２２が係合されることになる枢軸収納部１１ｂが形成してあって、この枢軸収納部１１ｂ内にハサミ２０の枢軸２２が収まったとき、当該ハサミ用カバー１０のハサミ２０に対する位置決めを行えるようにしてある。
【００２９】
なお、当該ハサミ用カバー１０のカッター刃１２が位置する部分には、図１に示したように、カッター刃１２の存在を使用者に注視させるための三角矢印１７が付してあり、同様に、封書をカッター刃１２に向けて移動させる方向を注視させるための矢印１８が付してある。
【００３０】
（実施例１）
さて、図１〜図３には、本発明に係るハサミ用カバー１０の実施例１が示してある。このハサミ用カバー１０は、図１の上側部分、及び図３に示したように、閉じた刃部２１を収納する収納部１１ａを形成した本体部１１と、この本体部１１に設けられて、カッター刃１２を保持する保持部材１３とを備えたものであって、図２、及び図３の下側部分で示したように、閉じたハサミ２０の刃部２１を覆うものである。
【００３１】
この実施例１のハサミ用カバー１０は、その本体部１１に形成してある収納部１１ａの先端（閉じた刃部２１が挿入されるのとは反対側端部）が開口したものとしてあって、この開口内に保持部１３の一部を差し込めるようにしたものである。
【００３２】
保持部１３は、図１及び図３に示したように、中央部の境界部１３ｂの両側に、上記収納部１１ａの先端部開口内に差し込まれる差し込み部１３ａを形成したものであり、一方の差し込み部１３ａにはカッター刃１２が取り付けてあって、このカッター刃１２によって、特に雑誌や新聞の切抜きが行えるようにしたものである。なお、中央の境界部１３ｂは、収納部１１ａの先端部開口より大きく形成したもので、丁度「刀の鍔」のように、当該保持部１３を収納部１１ａ開口に差し込んだときの、当該開口に対するストッパの役目を果たすものである。
【００３３】
一方、カッター刃１２が設けてない差し込み部１３ａは、図３にも示したように、収納部１１ａの端部開口に差し込まれたとき、反対側に突出するカッター刃１２を本体部１１に対してしっかりと支持する役目を果たすことは勿論、図２に示したように、カッター刃１２側の差し込み部１３ａにて収納部１１ａに差し込まれたときの「安全突起」となるように先端を丸くしたものである。
【００３４】
なお、このカッター刃１２を設けた保持部１３は、上述したように、本体部１１とは異なる着色が施してあり、当該保持部１３が、本体部１１とは別に成形されていて、当該本体部１１から分離できるものであることを示すようにしている。
【００３５】
（実施例２）
図４の（ａ）及び（ｂ）には、実施例２に係るハサミ用カバー１０が示してあるが、この実施例２のハサミ用カバー１０は、封書を開封するのに使用されるものである。なお、当該実施例２のハサミ用カバー１０において、上記実施例１のハサミ用カバー１０と共通する部材については、図面中に実施例１で使用したのと同じ符号を付して、その説明を省略している。
【００３６】
本実施例２のハサミ用カバー１０では、封書の封をした部分を通すための案内溝１６が、図４に示したように、本体部１１の表面に形成してある。なお、本実施例の案内溝１６は、単なる直線状ではなく、封を空け易いようにするために、湾曲させてあり、この湾曲部分にカッター刃１２の先端が露出するようにしてある。
【００３７】
（実施例３）
図５及び図６は実施例３に係るハサミ用カバー１０を示したものであるが、この実施例３に係るハサミ用カバー１０は、図６の（ａ）に示したように、先端のカバー１５を外すことによって、カッター刃１２を露出させ、このカッター刃１２によって新聞や雑誌の切抜きを行うものである。そして、このハサミ用カバー１０も、図６の（ｂ）及び図５に示したように、閉じた刃部２１を収納する本体部１１と、この本体部１１に形成されて、カッター刃１２を保持する保持部材１３とを備え、図６の（ａ）に示したように、この保持部材１３において、カッター刃１２を本体部１１に対して交換可能に止める止め部材１４とを備えるようにしたものである。
【００３８】
本実施例３の本体部１１と保持部材１３とは、例えば合成樹脂を材料として一体成形したものであり、これと同一材料で形成したカバー１５が、図１に示したように、保持部材１３に嵌合される。このとき、カバー１５に形成した嵌部１５ａ内に保持部材１３が挿入されるのであるが、保持部材１３側の突起１３ｃによってカバー１５の「緩い抜け止め」がなされる。一方、カバー１５上には突起１５ｂが形成してあって、この突起１５ｂに指を掛けることによって、カバー１５の外しが容易に行われる。
【００３９】
また、この実施例３のハサミ用カバー１０では、その本体部１１の先端に一体化してある保持部材１３に、止め部材１４を利用してカッター刃１２を着脱可能に取り付けてある。カッター刃１２は、折り取りタイプのカッター刃から一つ折り取ったものであり、図６の（ａ）に示したように、小さなものである。このカッター刃１２を保持部材１４ａ内に収納して、外側から止め材１４ｂをカッター刃１２の外側から被せて、保持部材１４ａを保持部材１３内に収納する。勿論、使用によって刃先が鈍ったカッター刃１２は、上述したのとは逆の操作にて交換される。つまり、このカッター刃１２は、本体部１１や保持部材１３に対して固定的ではなく、交換可能になっているのである。
【符号の説明】
【００４０】
１０    ハサミ用カバー
１１    本体部
１１ａ  収納部
１１ｂ  枢軸収納部
１２    カッター刃
１３    保持部材
１３ａ  差し込み部
１３ｂ  境界部
１３ｃ  突起
１４    止め部材
１４ａ  保持部材
１５    カバー
１５ａ  嵌部
１５ｂ  突起
１６    案内溝
１７    三角矢印
１８    矢印
２０    ハサミ
２１    刃部
２２    枢軸
【図１】
2012179235.tif 000003
【図２】
2012179235.tif 000004
【図３】
2012179235.tif 000005
【図４】
2012179235.tif 000006
【図５】
2012179235.tif 000007
【図６】
2012179235.tif 000008
【図７】
2012179235.tif 000009